(57)【要約】【課題】  運転中以外であっても常に外気を導入できるようにした外気導入装置を備えることで、上下寸法の大型化を抑えて運転時以外も被空調室内にフレッシュエアを吹き出せるようにした天井埋込形の空気調和機を提供する。【解決手段】  下部中央に空気吸込部２を、同空気吸込部２の外周に空気吹出部３を夫々設け、これら空気吸込部２と空気吹出部３とを結ぶ空気通路に送風機４と熱交換器５とを設けた本体１と、前記空気吸込部２に対応する吸込口６と、前記空気吹出部３に対応する吹出口７とを備えた化粧パネル８とからなる天井埋込形の空気調和機において、前記本体１の側部に、外気導入口９を一側部に備え、下部に前記吹出口７に隣接する外気導出口１０を備えた外気取入れ装置１１が設けられるとともに、前記化粧パネル８の外周部に、前記外気導出口１０に連通する外気吹出口１２を備えた補助パネルが設けられてなる構成にした。【選択図】  図２
2010121848.tif 000002
【特許請求の範囲】
【請求項１】
下部中央に空気吸込部を、同空気吸込部の外周に空気吹出部を夫々設け、これら空気吸込部と空気吹出部とを結ぶ空気通路に送風機と熱交換器とを設けた本体と、前記空気吸込部に対応する吸込口と、前記空気吹出部に対応する吹出口とを備えた化粧パネルとからなる天井埋込形の空気調和機において、
前記本体の側部に、外気導入口を一側部に備え、下部に前記吹出口に隣接する外気導出口を備えた外気取入れ装置が設けられるとともに、前記化粧パネルの外周部に、前記外気導出口に連通する外気吹出口を備えた補助パネルが設けられてなることを特徴とする天井埋込形の空気調和機。
【請求項２】
前記補助パネルが、前記化粧パネルの外周部の外側に連設されたワイドパネルからなることを特徴とする請求項１に記載の天井埋込形の空気調和機。
【請求項３】
前記補助パネルが、前記化粧パネルの外周部の上面に重設されたパネルスペーサからなることを特徴とする請求項１に記載の天井埋込形の空気調和機。
【請求項４】
前記外気取入れ装置が、本体の側部に併設されてなることを特徴とする請求項１に記載の天井埋込形の空気調和機。
【請求項５】
前記本体の一側に、前記外気取入れ装置に連通する連通口が設けられるとともに、前記外気導入口に開閉ダンパが設けられてなることを特徴とする請求項１に記載の天井埋込形の空気調和機。
【発明の詳細な説明】
【技術分野】
【０００１】
本発明は、天井埋込形の空気調和機に係わり、より詳細には、空気調和機の運転中以外であっても常に外気を導入できる外気導入装置を備えた構成に関する。
【背景技術】
【０００２】
従来の天井埋込形の空気調和機として、機種替え更新時における既存の天井開口部との隙間を埋める場合に、ワイドパネルを用いることによって据付工事の省力化をはかるようにしたものが知られており、また、天井ふところが狭い場合には、天井面と化粧パネルとの間をパネルスペーサによって埋めるようにしたものが知られている。
【０００３】
被空調室内に外気を取り入れる天井埋込形の空気調和機としては、図５に示すように、空気調和機本体ａと、化粧パネルｂとの間に取り付ける外気導入用のスペーサｃに様々なオプション部品の取り付けを可能とし、外気導入ダクトｉ用のダンパなどの調整器を用いなくても、外気導入比率の調整を広範囲に、かつ簡単に行うものがある。
【０００４】
具体的には、外気導入用のスペーサｃに様々なオプション部品を取付可能な構造として、外気導入の機能とオプション部品が同一のスペーサｃ内で共存できるようにし、また、該スペーサｃ、あるいは化粧パネルｂに室内または室外空気吸込流路開口率を調節できる機構を設け、外気導入比率を任意に調節できるようにし、加えて該機構に開口率検知センサを設け、外気導入ダクトｉ用の送風機の風量と連動させて、予め定めた制御により自動的に風量調節できるように構成されている（例えば、特開平１０−３００１２１号公報参照）。
【０００５】
このものにおいては、外気導入ダクトｉにより本体内に導入された外気の流れが、スペーサｃ内を流通したのちファンｄに向かう空気通路を有する構成であることから、空気調和機本体ａの運転時にファンｄによって外気が導入されることになり、運転時以外は本体ａ内に外気を導入することができず、したがって、運転時以外は被空調室内にフレッシュエアとして吹き出すことができないという問題点を有していた。
【０００６】
また、空気調和機本体ａと、化粧パネルｂとの間に外気導入用のスペーサｃが介装された構成であることから、空気調和機全体としての上下寸法が大型化してしまうことになって、天井ふところの制限により設置が困難になってしまうという問題点を有していた。
【特許文献１】特開平１０−３００１２１号公報
【発明の開示】
【発明が解決しようとする課題】
【０００７】
そこで、本発明は上述した課題を解決するためになされたものであって、その目的は、運転時以外であっても、簡単な構成により常に外気を導入できる外気導入装置を備え、上下寸法の大型化を抑えて被空調室内にフレッシュエアを吹き出せるようにした天井埋込形の空気調和機を提供することにある。
【課題を解決するための手段】
【０００８】
上述した目的を達成できるように構成するため、本発明は以下に示す特徴を備えている。
【０００９】
下部中央に空気吸込部を、同空気吸込部の外周に空気吹出部を夫々設け、これら空気吸込部と空気吹出部とを結ぶ空気通路に送風機と熱交換器とを設けた本体と、前記空気吸込部に対応する吸込口と、前記空気吹出部に対応する吹出口とを備えた化粧パネルとからなる天井埋込形の空気調和機において、
前記本体の側部に、外気導入口を一側部に備え、下部に前記吹出口に隣接する外気導出口を備えた外気取入れ装置が設けられるとともに、前記化粧パネルの外周部に、前記外気導出口に連通する外気吹出口を備えた補助パネルが設けられてなることを特徴としている。
【００１０】
また、前記補助パネルが、前記化粧パネルの外周部の外側に連設されたワイドパネルからなることを特徴としている。
【００１１】
また、前記補助パネルが、前記化粧パネルの外周部の上面に重設されたパネルスペーサからなることを特徴としている。
【００１２】
また、前記外気取入れ装置が、本体の側部に併設されてなることを特徴としている。
【００１３】
また、前記本体の一側に、前記外気取入れ装置に連通する連通口が設けられるとともに、前記外気導入口に開閉ダンパが設けられてなることを特徴としている。
【発明の効果】
【００１４】
本発明によれば、運転時以外であっても、簡単な構成により常に外気を導入できる外気導入装置を備えた天井埋込形の空気調和機を提供できる。また、上下寸法の大型化を抑えて被空調室内にフレッシュエアを吹き出せるようにした天井埋込形の空気調和機を提供できる。
【発明を実施するための最良の形態】
【００１５】
次に、本発明の実施形態について図面を参照しながら説明する。
【００１６】
図１は本発明による天井埋込形の空気調和機の一実施例を示す説明図で、（Ａ）は断面図、（Ｂ）は化粧パネルおよび補助パネルの下方から見た斜視図、（Ｃ）は空気調和機を上方から見た斜視図であり、図２は本発明による天井埋込形の空気調和機の一実施例を示す要部断面図で、（Ａ）は第一例を示す図、（Ｂ）は第二例を示す図である。
【００１７】
図３は本発明による天井埋込形の空気調和機の他の実施例を示す説明図で、（Ａ）は断面図、（Ｂ）は化粧パネルおよび補助パネルの下方から見た斜視図、（Ｃ）は空気調和機を上方から見た斜視図であり、図４は本発明による天井埋込形の空気調和機の他の実施例を示す要部断面図で、（Ａ）は第一例を示す図、（Ｂ）は第二例を示す図である。
【００１８】
本発明による天井埋込形の空気調和機は、一実施例として図１（Ａ）乃至図１（Ｃ）に示すように、空気調和機の本体１の下部中央に空気吸込部２が設けられ、空気吸込部２の四側外周に空気吹出部３が設けられ、これら空気吸込部２と空気吹出部３とを結ぶ空気通路には、送風ファンおよびファンモータからなる送風機４と、熱交換器５とが設けられている。
【００１９】
なお、空気吹出部３は、空気吸込部２の一側外周、二側外周もしくは四側外周などの何れに設けられた構成であってもよいが、ここでは、空気吸込部２の四側外周に空気吹出部３が設けられた構成として説明する。
【００２０】
本体１の下部には、本体１の下部中央に備えた空気吸込部２に連通する吸込口６を有するとともに、空気吸込部２の四側外周に備えた空気吹出部３に連通する吹出口７を有する化粧パネル８が設けられている。
【００２１】
これにより、吸込口６から吸い込まれた空気が、空気吸込部２を経て送風ファンから熱交換器５に流通し熱交換されたのち、空気吹出部３を経て吹出口７に送出されるようになっている。
【００２２】
本体１の側部には、ダクト送風機１９を有するダクト１８が連結された外気導入口９を一側部に備え、下部に吹出口７に隣接する外気導出口１０を備えた外気取入れ装置１１が設けられており、外気導出口１０は天井面２０に設けられた開口部に連通している。
【００２３】
外気取入れ装置１１は、本体１の側部に併設（付設）できるように構成されており、これによって、外気を被空調室に取り入れるようにしたい場合、その機能は、本体１に特別の加工を施すことなく外気取入れ装置１１を併設（付設）することによって実現できることから、本体１に対する付属ユニット（オプションパーツ）として個別に提供できる簡単な構成からなる装置となる。
【００２４】
化粧パネル８の外周部には、外気導出口１０に連通する外気吹出口１２を備えた補助パネルが設けられることにより、本体１が運転中であるか、ないかに関わらず、ダクト送風機１９を有するダクト１８によって外気が外気取入れ装置１１に導かれたのち、外気導出口１０から天井面２０の開口部を経て外気吹出口１２に送出されることになる。
【００２５】
これにより、本体１内に、あるいは本体１と化粧パネル８との間に介装したスペーサに外気取入れのための通風路を設けることなく、常時、外気吹出口１２から被空調室にフレッシュエアを吹き出すことができるようになる。
【００２６】
また、ダクト送風機１９を逆回転させることで、被空調室内の空気を外気取入れ装置１１内に取り入れたのち、ダクト１８を経て外部（屋外）に排出することができるので、例えば、窓に換気扇を設けるといった必要性がなくなる。
【００２７】
外気吹出口１２を備えた補助パネルは、一実施例として図１（Ａ）乃至図１（Ｃ）に示すように、外気を下方に向けて吹き出す外気吹出口１２を備えて、化粧パネル８の外周部の外側に連設されワイドパネル１３からなる構成になっている。
【００２８】
これにより、背景技術として上述したように、既存の天井開口部との隙間を埋める場合に用いるのと同様のワイドパネル１３を用いることによって、据付工事を簡単な作業によって行えるのと同時に、被空調室にフレッシュエアを吹き出すための外気吹出口１２を設けることができる構成になる。
【００２９】
本体１の一側に外気取入れ装置１１を設け、化粧パネル８の外周部の外側にワイドパネル１３を連設した構成と、この構成による空気の流れについて、一実施例の第一例として示す図２（Ａ）に基づいて以下に説明する。
【００３０】
本体１の下部に設けられた化粧パネル８の吸込口６から吸い込まれた空気は、送風機４から熱交換器５を流通して熱交換されたのち、図２（Ａ）に示す矢印ａのように、本体１の空気吹出部３を経て吹出口７から被空調室に調和空気として吹き出される。
【００３１】
一方、ダクト送風機１９を有するダクト１８によって外気導入口９から外気取入れ装置１１内に導かれた外気は、外気導出口１０から天井面２０に設けられた開口部を経て外気吹出口１２に送出され、図２（Ａ）に示す矢印ｂのように、外気吹出口１２から被空調室に吹き出される。
【００３２】
その際、外気吹出口１２から吹き出されたフレッシュエアは、熱交換器５で熱交換されて吹出口７から吹き出された調和空気に上方から合流することで、図２（Ａ）に示す矢印ａおよび矢印ｂのように、調和空気と一緒に被空調室に向かうことになって快適な空気調和を行えるようになる。
【００３３】
また、本体１内の送風機４を停止し、ダクト送風機１９を起動して開閉ダンパ１７で外気導入口９を開放した場合には、ダクト１８で導かれ外気取入れ装置１１に導入された外気は、外気導出口１０から天井面２０に設けられた開口部を経て外気吹出口１２に送出され、外気吹出口１２から被空調室にフレッシュエアとして吹き出されるようになり、本体１の運転停止中であっても、常時、フレッシュエアを被空調室に取り入れることが可能になる。
【００３４】
次に、一実施例の第二例について、図２（Ｂ）に基づいて以下に説明する。
【００３５】
本体１の一側に、外気取入れ装置１１に連通する連通口１ａを設けるとともに、外気導入口９に開閉ダンパ１７を設けて、化粧パネル８の外周部の外側にワイドパネル１３を連設した構成としている。
【００３６】
これにより、吸込口６から吸い込まれた空気は、送風機４から熱交換器５を流通して熱交換されたのち、図２（Ｂ）に示す矢印ａのように、本体１の空気吹出部３を経て吹出口７から被空調室に調和空気として吹き出される。
【００３７】
また同時に、熱交換された調和空気は連通口１ａから外気取入れ装置１１に導かれ、ダクト送風機１９を停止し開閉ダンパ１７で外気導入口９を閉じることで、外気取入れ装置１１の外気導出口１０から天井面２０に設けられた開口部を経て外気吹出口１２に送出され、図２（Ｂ）に示す矢印ａ’のように、外気吹出口１２から被空調室に吹き出されて吹出口７から吹き出された調和空気に上方から合流して、図２（Ａ）に示す矢印ａおよび矢印ａ’のように被空調室に向かうことになる。
【００３８】
その際、ダクト送風機１９を起動して開閉ダンパ１７で外気導入口９を開放することにより、図２（Ｂ）の矢印ａ’に示す調和空気の流れに、ダクト１８で導かれた外気を合流させることができるようになる。
【００３９】
また、本体１内の送風機４を停止し、ダクト送風機１９を起動して開閉ダンパ１７で外気導入口９を開放した場合には、上述した一実施例の第一例の場合と同様に、ダクト１８で導かれ外気取入れ装置１１に導入された外気は、外気導出口１０から天井面２０に設けられた開口部を経て外気吹出口１２に送出され、外気吹出口１２から被空調室にフレッシュエアとして吹き出されるようになり、本体１の運転停止中であっても、常時、フレッシュエアを被空調室に取り入れることが可能になる。
【００４０】
なお、この場合、ダクト１８で導かれ外気取入れ装置１１に導入された外気の一部は連通口１ａから本体１内の空気通路に流入し、空気吹出部３を経て吹出口７に送出され、吹出口７から被空調室にフレッシュエアとして吹き出される。
【００４１】
また、連通口１ａから本体１内の空気通路に流入した外気は、空気吹出部３を経て吹出口７に送出される以外に、熱交換器５や停止中の送風機４による空気抵抗が大きいので空気吸込部２や吸込口６に向けて送出されることはない。
【００４２】
次に、本発明による天井埋込形の空気調和機の他の実施例について、図３（Ａ）乃至図３（Ｃ）に基づいて説明する。なお、図１（Ａ）乃至図１（Ｃ）に基づいて上述した一実施例での説明と重複する点については説明を省略する。
【００４３】
外気吹出口１２を備えた補助パネルは、他の実施例として図３（Ａ）乃至図３（Ｃ）に示すように、外気を天井面２０に沿って横方向に吹き出す外気吹出口１２を備えて、化粧パネル８の外周部の上面に重設されたパネルスペーサ１４からなる構成になっている。
【００４４】
これにより、背景技術として上述したように、天井ふところが狭い場合に天井面２０と化粧パネル８との間を埋める場合に用いるのと同様のパネルスペーサ１４を用いることによって、被空調室にフレッシュエアを吹き出すための外気吹出口１２を設けることができる構成になる。
【００４５】
本体１の一側に外気取入れ装置１１を設け、化粧パネル８の外周部の上面にパネルスペーサ１４を重設した構成と、この構成による空気の流れについて、他の実施例の第一例として示す図４（Ａ）に基づいて以下に説明する。
【００４６】
本体１の下部に設けられた化粧パネル８の吸込口６から吸い込まれた空気は、送風機４から熱交換器５を流通して熱交換されたのち、図４（Ａ）に示す矢印ａのように、本体１の空気吹出部３を経て吹出口７から被空調室に調和空気として吹き出される。
【００４７】
一方、ダクト送風機１９を有するダクト１８によって外気導入口９から外気取入れ装置１１内に導かれた外気は、外気導出口１０から天井面２０に設けられた開口部を経て外気吹出口１２に送出され、図４（Ａ）に示す矢印ｂのように、外気吹出口１２から被空調室の天井面２０に沿って横方向に吹き出される。
【００４８】
その際、外気吹出口１２から吹き出されたフレッシュエアは、図４（Ａ）に示す矢印ｂのように、熱交換器５で熱交換されて吹出口７から吹き出された調和空気の上方で天井面２０に沿って横方向に向かうことにより、図４（Ａ）に示す矢印ａのような遠距離まで届かせる調和空気の流れに直接影響を与えない流れとなる。
【００４９】
また、本体１内の送風機４を停止し、ダクト送風機１９を起動して開閉ダンパ１７で外気導入口９を開放した場合には、ダクト１８で導かれ外気取入れ装置１１に導入された外気は、外気導出口１０から天井面２０に設けられた開口部を経て外気吹出口１２に送出され、外気吹出口１２から被空調室にフレッシュエアとして吹き出されるようになり、本体１の運転停止中であっても、常時、フレッシュエアを被空調室に取り入れることが可能になる。
【００５０】
そして、上述した一実施例の場合と同様に、ダクト送風機１９を逆回転させることで、被空調室内の空気を外気取入れ装置１１内に取り入れたのち、ダクト１８を経て外部（屋外）に排出することができるので、例えば、窓に換気扇を設けるといった必要性がなくなる。
【００５１】
次に、他の実施例の第二例について、図４（Ｂ）に基づいて以下に説明する。
【００５２】
本体１の一側に、外気取入れ装置１１に連通する連通口１ａを設けるとともに、外気導入口９に開閉ダンパ１７を設けて、化粧パネル８の外周部の上面にパネルスペーサ１４を重設した構成としている。
【００５３】
これにより、吸込口６から吸い込まれた空気は、送風機４から熱交換器５を流通して熱交換されたのち、図４（Ｂ）に示す矢印ａのように、本体１の空気吹出部３を経て吹出口７から被空調室に調和空気として吹き出される。
【００５４】
また同時に、熱交換された調和空気は連通口１ａから外気取入れ装置１１に導かれ、ダクト送風機１９を停止し開閉ダンパ１７で外気導入口９を閉じることで、外気取入れ装置１１の外気導出口１０から天井面２０に設けられた開口部を経て外気吹出口１２に送出され、図４（Ｂ）に示す矢印ｂのように、外気吹出口１２から被空調室に吹き出されて、吹出口７から吹き出された調和空気の上方で、天井面２０に沿って横方向に向かうことになる。
【００５５】
その際、ダクト送風機１９を起動して開閉ダンパ１７で外気導入口９を開放することにより、図４（Ｂ）の矢印ａに示す吹出口７から吹き出される調和空気の流れの上方で、図４（Ｂ）に示す矢印ｂのように、外気吹出口１２から被空調室に吹き出される調和空気に合流させて、天井面２０に沿って横方向に吹き出すことができる。
【００５６】
また、本体１内の送風機４を停止し、ダクト送風機１９を起動して開閉ダンパ１７で外気導入口９を開放した場合には、上述した他の実施例の第一例の場合と同様に、ダクト１８で導かれ外気取入れ装置１１に導入された外気は、外気導出口１０から天井面２０に設けられた開口部を経て外気吹出口１２に送出され、外気吹出口１２から被空調室の天井面２０に沿って横方向にフレッシュエアとして吹き出されるようになり、本体１の運転停止中であっても、常時、フレッシュエアを被空調室に取り入れることが可能になる。
【００５７】
なお、この場合、ダクト１８で導かれ外気取入れ装置１１に導入された外気の一部は連通口１ａから本体１内の空気通路に流入し、空気吹出部３を経て吹出口７に送出され、吹出口７から被空調室にフレッシュエアとして吹き出される。
【００５８】
また、連通口１ａから本体１内の空気通路に流入した外気は、空気吹出部３を経て吹出口７に送出される以外に、熱交換器５や停止中の送風機４による空気抵抗が大きいので空気吸込部２や吸込口６に向けて送出されることはない。
【図面の簡単な説明】
【００５９】
【図１】本発明による天井埋込形の空気調和機の一実施例を示す説明図で、（Ａ）は断面図であり、（Ｂ）は化粧パネルおよび補助パネルの下方から見た斜視図であり、（Ｃ）は空気調和機を上方から見た斜視図である。
【図２】本発明による天井埋込形の空気調和機の一実施例を示す要部断面図で、（Ａ）は第一例を示す図であり、（Ｂ）は第二例を示す図である。
【図３】本発明による天井埋込形の空気調和機の他の実施例を示す説明図で、（Ａ）は断面図であり、（Ｂ）は化粧パネルおよび補助パネルの下方から見た斜視図であり、（Ｃ）は空気調和機を上方から見た斜視図である。
【図４】本発明による天井埋込形の空気調和機の他の実施例を示す要部断面図で、（Ａ）は第一例を示す図であり、（Ｂ）は第二例を示す図である。
【図５】従来例による天井埋込形の空気調和機の断面図である。
【符号の説明】
【００６０】
１  空気調和機の本体
１ａ  連通口
２  空気吸込部
３  空気吹出部
４  送風機
５  熱交換器
６  吸込口
７  吹出口
８  化粧パネル
９  外気導入口
１０  外気導出口
１１  外気取入れ装置
１２  外気吹出口
１３  ワイドパネル
１４  パネルスペーサ
１５  開口
１６  連通口
１７  開閉ダンパ
１８  ダクト
１９  ダクト送風機
２０  天井面
【図１】
2010121848.tif 000003
【図２】
2010121848.tif 000004
【図３】
2010121848.tif 000005
【図４】
2010121848.tif 000006
【図５】
2010121848.tif 000007